(57)【特許請求の範囲】
【請求項１】
一体風洞付き揺動選別部材と、その選別面を前下がりの選別角度に傾斜して前後を支持
する略並行の支持リンクと、揺動選別部材を揺り上げ動作させる駆動用偏心支軸とからな
る揺動選別式石抜装置において、
前記支持リンクを支持点から前後方向にそれぞれ延長して支持リンクと一体の延長アー
ムを形成し、それぞれの延長アームの延長端に、前記揺動選別部材のモーメントと個々に
釣合うバランスウェイトを設けて、これらのバランスウェイトを支持リンクそれぞれに作
用させることを特徴とする揺動選別式石抜装置。
【請求項２】
前後の前記バランスウェイトは、前記揺動選別部材の幅方向重心位置である選別板の幅
中央近傍に配置したことを特徴とする請求項１に記載の揺動選別式石抜装置。
【請求項３】
駆動用の前記偏心支軸には、その偏心モーメントと釣り合うバランスウェイトを設けた
ことを特徴とする請求項１または２のいずれかに記載の揺動選別式石抜装置。
【発明の詳細な説明】
【技術分野】
【０００１】
本発明は、偏心支軸によって揺動駆動される傾斜選別板を備える揺動選別式石抜装置に
関する。
【背景技術】
【０００２】
特許文献１の記載例のように、偏心支軸によって揺動駆動される傾斜選別板を前下がり
に備えた揺動選別式石抜装置が知られている。この石抜装置は、傾斜選別板の前後にそれ
ぞれの支持リンクを設けて一定振幅の揺り上げ動作するように偏心支軸によって駆動する
とともに、前側の支持リンクにバランスウェイトを設けて揺動選別部材の重量によるモー
メントと釣り合わせることにより、その揺動動力を小さく抑えることができる。
【０００３】
しかしながら、上記石抜装置は、動力ロスの低減が可能となる一方で、揺動選別時の装
置全体の振動と騒音を招くことがあり、特に、支持フレームの軽量化を図った小型構成の
石抜装置において、相対的に大きな振幅動作の揺動反力が軽量の支持フレ―ムに伝わり、
結果として、装置全体の振動が避けられず、運転騒音と耐久性の点で問題を内包していた
。
【先行技術文献】
【特許文献】
【０００４】
【特許文献１】特開２００６−３１４９７８号公報
【発明の概要】
【発明が解決しようとする課題】
【０００５】
本発明の目的は、小型構成の石抜装置にあっても、動力低減とともに、装置全体の振動
を抑えて安定動作を可能とする揺動選別式石抜装置を提供することにある。
【課題を解決するための手段】
【０００６】
請求項１に係る発明は、一体風洞付き揺動選別部材と、その選別面を前下がりの選別角
度に傾斜して前後を支持する略並行の支持リンクと、揺動選別部材を揺り上げ動作させる
駆動用偏心支軸とからなる揺動選別式石抜装置において、
前記支持リンクを支持点から前後方向にそれぞれ延長して支持リンクと一体の延長アー
ムを形成し、それぞれの延長アームの延長端に、前記揺動選別部材のモーメントと個々に
釣合うバランスウェイトを設けて、これらのバランスウェイトを支持リンクそれぞれに作
用させることを特徴とする。
【０００７】
削除
【０００８】
請求項２に係る発明は、請求項１に係る発明において、前記両バランスウェイトは、前
記揺動選別部材の幅方向重心位置である選別板の幅中央近傍に配置したことを特徴とする。
【０００９】
請求項３に係る発明は、請求項１から請求項２のいずれかに係る発明において、前記駆
動用偏心支軸には、その偏心モーメントと釣り合うバランスウェイトを設けたことを特徴
とする。
【発明の効果】
【００１０】
請求項１に係る発明により、傾斜姿勢の揺動選別部材の前後でそれぞれの支持リンクの
バランスウェイトによって個々に釣合をとることにより、揺動選別部材の重力によるモー
メントを最小限度に抑えて揺動駆動できるとともに、揺動動作による重心まわりのモーメ
ントが小さく抑えられる。したがって、支持フレームの軽量化を図った小型構成の石抜装
置においても、駆動動力の低減とともに、装置全体の振動が抑えられて安定動作が可能と
なる。
【００１１】
加えて、前記バランスウェイトは、前記それぞれの支持リンクを支持点から前後方向に
延長した延長アームの延長端位置に取付けたことから、延長アームの長さとウェイト質量
を小さく抑えてコンパクトに構成することができる。
【００１２】
請求項２に係る発明により、請求項１に係る発明の効果に加え、前記両バランスウェイ
トは、前記揺動選別部材の選別板部の幅方向の中央に配置したことから、揺動選別部材の
幅方向のバランスにより安定姿勢が確保されるので、装置全体の幅方向の振動が抑えられ
て安定動作が可能となる。
【００１３】
請求項３に係る発明により、請求項１から請求項２のいずれかに係る発明の効果に加え
、前記駆動用偏心支軸には、その偏心モーメントと釣り合うバランスウェイトを設けたこ
とから、駆動用偏心支軸についてのバランスウェイトにより、駆動部から生じる装置全体
の振動および騒音を低減することができる。
【図面の簡単な説明】
【００１４】
【図１】石抜機の内部機器の透視側面図
【図２】石抜機のテンショナを含む内部機器の透視背面図
【図３】揺動選別部の側面図
【図４】バランスウェイト支持部の展開平面図
【発明を実施するための形態】
【００１５】
上記技術思想に基づいて具体的に構成された実施の形態について以下に図面を参照しつ
つ説明する。
図１、図２は、石抜装置１の内部機器を透視表示した側面図および背面図である。
この石抜装置１は、箱状構成の外装材による支持フレーム２に、風洞３ａと一体構成の
揺動選別部材３と、その多孔選別面を前下がりの選別角度に傾斜して前後を支持する略並
行の支持リンク４ａ，４ｂと、揺動選別部材３と連結して偏心回転動作によって揺動させ
る偏心支軸５と、ベルト伝動によって動力供給する電動機６と、揺動選別部材３に臨む穀
粒ホッパ７等により構成される。
【００１６】
揺動選別部材３は、網目状構成の選別板１１を上部に傾斜して備え、その下方を風洞３
ａとして構成するとともに、選別板１１の片側方に戻し用のシュート１１ａを付設する。
風洞３ａには、その左右を貫通して支持フレーム２に軸支した送風羽根１２を内設する。
また、風洞３ａと後方の偏心支軸５との間をリンク５ａによって連結し、このリンク５ａ
との釣合用のバランスウェイト５ｂ，５ｂを偏心支軸５に取付ける。これら偏心支軸５お
よび送風羽根１２の駆動のために、支持フレーム２の外側配置のテンショナ１３ａを備え
た伝動ベルト１３により電動機６と連結する。
【００１７】
また、揺動選別部材３の前後の支持リンク４ａ，４ｂは、図３にその側面図を示すよう
に、風洞３ａの前後位置に支軸２１ａ，２１ｂを設け、それぞれの両端を下から支えるよ
うに支持フレーム２に設けた支点２２ａ，２２ｂにそれぞれ軸支し、さらにそれぞれの支
点２２ａ，２２ｂから後方に延長アーム２３ａ，２３ｂを支持リンク４ａ，４ｂの１〜１
．５倍の長さに延長形成して延長端の左右間を連結する架材２４ａ，２４ｂを介してそれ
ぞれにバランスウェイト２５ａ，２５ｂを取付ける。それぞれのバランスウェイト２５ａ
，２５ｂは、図４に前側の支持リンクの展開平面図を示すように、揺動選別部材３の幅方
向重心位置として、選別板１１の幅Ｗ寸法の中心近傍位置に配置する。
【００１８】
上記構成の石抜装置１は、電動機６の動力により、選別板１１の下方から送風羽根１２
の送風を受けつつ偏心支軸５からリンク５ａを介して揺動選別部材３が傾斜姿勢で前後に
揺動動作されることから、穀粒ホッパ７から選別板１１に供給された穀粒中の比重の大き
い石が選別板１１の網目により傾斜上部に移動して上端口から排出することができ、また
、比重が小さい上層の穀粒が傾斜下部に移動して装置正面側の下端口に分別される。
【００１９】
この場合において、傾斜姿勢の揺動選別部材３の前後それぞれで支持リンク４ａ，４ｂ
に取付けたバランスウェイト２５ａ，２５ｂによって個々に釣り合いをとることにより、
揺動選別部材３の重力によるモーメントを最小限度に抑えて揺動駆動できるとともに、揺
動動作による重心まわりのモーメントが小さく抑えられる。したがって、支持フレーム２
の軽量化を図った小型構成の石抜装置においても、駆動動力の低減とともに、装置全体の
振動が抑えられて安定動作が可能となる。
【００２０】
また、前後のバランスウェイト２５ａ，２５ｂは、それぞれの支持リンク４ａ，４ｂを
支持点２２ａ，２２ｂから前後方向に延長した延長アーム２３ａ，２３ｂに取付けたこと
から、延長アーム２３ａ，２３ｂの長さとバランスウェイト２５ａ，２５ｂの質量を小さ
く抑えてコンパクトに構成することができる。
【００２１】
さらに、前後のバランスウェイト２５ａ，２５ｂは、それぞれ揺動選別部材３の選別板
１１の幅方向の中央に配置したことから、選別板１１の片側方に軽量のシュート１１ａを
付設した構成であっても、揺動選別部材３の幅方向のバランスにより安定姿勢が確保され
るので、装置全体の幅方向の振動が抑えられて安定動作が可能となる。
また、３箇所目のバランス手段として、駆動用偏心支軸５には、その偏心モーメントと
釣り合うバランスウェイト５ｂ，５ｂを設けて駆動用偏心支軸５から生じる装置全体の振
動および騒音を低減することができる。
【符号の説明】
【００２２】
１      石抜装置
２      支持フレーム
３      揺動選別部材
３ａ    風洞
４ａ，４ｂ  支持リンク
５      偏心支軸
５ａ    リンク
５ｂ    バランスウェイト
１１    選別板
１１ａ  シュート
２１ａ，２１ｂ  支軸
２２ａ，２２ｂ  支点
２３ａ，２３ｂ  延長アーム
２４ａ，２４ｂ  架材
２５ａ，２５ｂ  バランスウェイト
Ｗ      選別板幅
【図１】
0005709170.tif 000002
【図２】
0005709170.tif 000003
【図３】
0005709170.tif 000004
【図４】
0005709170.tif 000005